(57)【要約】      （修正有）【課題】身体障害者用車椅子を使用する人々に対して、車椅子で車道から歩道、歩道から車道へ迅速に、しかも安全に入ることを目的とし、さらに成人用車椅子、小児用車椅子、幼児用姿勢保持バギーなどの車輪幅の異なる各種車椅子に対応できる車椅子専用通路を提供するため、バリアフリー型縁石の製造を思い立った。【解決手段】歩道Ｆと車道Ｅを区別するために敷設される通常の縁石Ｄの段差Ｈ部分を各種車椅子等の車輪幅及び車輪間隔に合わせて、車道Ｅと歩道Ｆの間を緩やかな傾斜で形成し直し車椅子専用通路Ｂ１を形成し段差Ｈを除去した事を特徴とするバリアフリー型縁石Ｂによって、車椅子の通行に支障の無い車椅子専用通路Ｂ１を提供する。【選択図】  図５
2004346720.tif 000002
【特許請求の範囲】
【請求項１】
歩道Ｆと車道Ｅを区別するために敷設される通常の縁石Ｄの段差Ｈ部分を、各種車椅子等の車輪幅及び車輪間隔に合わせて、車道Ｅと歩道Ｆの間を緩やかな傾斜で形成し直し車椅子専用通路Ｂ１を形成し段差Ｈを除去したバリアフリー型縁石Ｂ。
【発明の詳細な説明】
【０００１】
【発明の属する技術分野】
現在、歩道の縁石工事で車椅子の通行に支障が無いように配慮し、縁石による段差を取り払う工事が実施されているのは横断歩道と、交差点の横断歩道だけである。真の意味で車椅子の通行の利便性に貢献するためには横断歩道や交差点だけではなく車道に面するあらゆる場所にそのような造作がなされるべきである。
【０００２】
本発明は、歩道と車道を区別するために敷設される縁石の一部を、車道面から歩道面に向けて段差無く形成した事を特徴とし、車椅子を使用する人々が車道から歩道、歩道から車道へ迅速に、しかも安全に通行できる事を可能にするバリアフリー型縁石である。
【０００３】
本発明によるバリアフリー型縁石は、成人用車椅子、小児用車椅子、幼児用姿勢保持バギーなど車輪幅の異なる各種身体障害者用車椅子に対応でき、さらにベビーカーや、高齢者の手押し車などを使用する人々に対しても車道から歩道、歩道から車道へ安全に入ることを可能にする。
【０００４】
【従来の技術】
歩道の縁石とは、交通安全上の観点から歩道を通行する人々の安全を確保するために、歩道と車道を区別するための境界であり、車両の歩道への進入防止を目的として敷設されるものである。
【０００５】
この縁石の敷設によって歩道を通行する人々の安全は確保され、交通事故の減少に貢献して全国でその整備が進められている。
【０００６】
近年、歩道のバリアフリー化と称して、横断歩道や交差点の横断歩道に面する縁石の高さを低くして、歩行者の歩きやすさに配慮した縁石が敷設されている。特に身体障害者の使用する車椅子の通行に支障が無いように配慮し、縁石による段差を取り払う工事が多く見受けられる。
【０００７】
しかし、歩道のバリアフリー化を目的とした縁石工事は、身体障害者を始めとした、歩行に何らかの介助手段を必要とする社会的弱者の真の利便性に貢献していないのが現状である。
【０００８】
なぜかというと、車椅子の通行に支障が無いように配慮し、縁石による段差を取り払う工事が実施されているのは、横断歩道と交差点の横断歩道だけである。真の意味で車椅子の通行の利便性に貢献するためには、横断歩道や交差点だけではなく、車道に面するあらゆる場所にそのような造作がなされるべきである。
【０００９】
実際、車椅子を使用する人々が目的とする施設に出向くには、公共交通機関を利用する人もいるが、その多くはタクシーなどの車両を使用する。
この場合、目的の施設の前で車両から降りて車道から歩道に入る必要があるが、現状では他の人の介助を得て縁石を乗り越えるか、交差点まで遠まわりするしか方法が無い。
【００１０】
歩行者の安全および交通法規の観点から、横断歩道や交差点に車両を停車させるのは無理がある。
従って、わざわざ離れた位置に停車したうえで車椅子を降ろし危険な車道を通行しながら歩道に上がるなどの手段を模索しなければならない。
これらのことは、身体障害者自身や介護人にとっても心理的負担が大なるものである。
【００１１】
また、車両が出入りする車庫前の縁石を下げている所も見られるが段差があり、しかも車両が出入りするため危険を伴う。
従って、車椅子の通行には適しているとは言えないが、止む無く通行しているのも現状であり、このこと自体は全く論外と言わざるを得ない。
【００１２】
【発明が解決しようとする課題】
近年、体の不自由な人々や高齢者に配慮したバリアフリー化が進んでいる。
公共施設でのバリアフリー化はもとより、産業界においてはバリアフリー住宅、介護車両などが多く見られるようになってきた。
【００１３】
歩道におけるバリアフリー化は地方自治体により盛んに行われており、点字タイルや縁石工事など体の不自由な人々の利便性を目的としている。
【００１４】
しかし、車椅子を使用する人々の通行に支障をきたさぬよう、縁石の高さを下げているのは、前述のとおり横断歩道と、交差点の横断歩道だけである。車椅子で車道から歩道、歩道から車道へ迅速に、しかも安全に通行できるよう配慮が成されているものは無いに等しい。
【００１５】
このように、社会的弱者と言われる人々に対して、様々な形で整備が加えられ、従来より相当便利になったように思われているが、それを必要とする人々の真の利便性に叶っているか否か、疑問に思われるものが多い。
【００１６】
身体に何らかの障害を持つ人々の社会参加を阻害しているものは、このような一方的思考の、通り一片の社会福祉事業である。
【００１７】
実際、車椅子を使用する人々が目的とする施設に出向く時、多くは車両を使用する。
この場合、目的の施設の前で車両から降り、車道から歩道に入る必要がある。
現状では他の人の介助を得て縁石を乗り越えるか、交差点まで遠回りするしか方法は無く、車椅子を使用する人々の利便性を満たしているとは言いがたいのが現状である。
【００１８】
さらに、車両が出入りする車庫前の縁石を下げている所も見られるが段差があり、しかも車両が出入りするために危険を伴う。
従って、車椅子の通行には適するものとはいえない。
【００１９】
現在のバリアフリー化を目的とした縁石工事で一番影響を受けるのは、身体的に障害を有し車椅子を使用しなければならない人々、幼児を乗せたベビーカー、高齢者の手押し車などの社会的に弱い立場の人々であり、そのような人々の利便性に貢献しない施設は、見直さなければならない。
【００２０】
従って、従来のように横断歩道などの縁石を下げる工事だけではなく、車道に面した歩道の数ヶ所に車椅子専用の通路を持つ縁石が敷設され、車椅子などが迅速に、しかも安全に通行できる縁石を持った歩道が待ち望まれている。
【００２１】
【課題を解決するための手段】
本発明は、歩道と車道を区別するために敷設される縁石の一部を、車道面から歩道面に向けて段差無く形成することにより、バリアフリー型縁石として提供せんとするものである。
【００２２】
【実施例】
本発明の実施例を図面にもとづき説明する。
図１は本発明のバリアフリー型縁石Ｂの平面図。
図２は本発明のバリアフリー型縁石Ｂの正面図。
図３は本発明のバリアフリー型縁石Ｂの左側面図。
図４は本発明のバリアフリー型縁石Ｂの斜視図。
図５は本発明のバリアフリー縁石Ｂと通常の縁石Ｄを組合せた施工状態の一例を示す参考斜視図。
図６は本発明のバリアフリー縁石Ｂの車椅子専用通路Ｂ１を車道Ｅ側から歩道Ｆ側へ、又は歩道Ｆ側から車道Ｅ側へと移送する車椅子Ａの現況を示す側面図である。
【００２３】
バリアフリー型縁石Ｂは通常の縁石Ｄの段差Ｈ部分を各種車椅子等の車輪幅及び車輪間隔に合わせて、車道Ｅと歩道Ｆの間を緩やかな傾斜で形成し直し車椅子専用通路Ｂ１を形成し段差Ｈを除去する。
【００２４】
【発明の効果】
本発明は歩道と車道を区別するために敷設される縁石の段差部分を除去し、各種車椅子等の車輪幅及び車輪間隔に合わせて、車道と歩道の間を緩やかな傾斜で形成し直したバリアフリー型縁石によって、車椅子の通行に支障の無い車椅子専用通路を提供するものである。
【００２５】
一般的に身体障害者用の車椅子は、使用する人の体形に合わせて特別に製造されるため、車輪の幅、車輪の形状などの種類が多い。
本発明によるバリアフリー型縁石によって造作された車椅子専用通路は、成人用車椅子、小児用車椅子、幼児用姿勢保持バギーなど車輪幅の異なる各種車椅子に対応できる。
【００２６】
従って、図６に示すように身体障害者用車椅子を使用する人々に対して、車椅子で車道から歩道、歩道から車道へ迅速に、しかも安全に歩道へ入ることを可能にする。
【００２７】
解決しようとする課題に述べたように、身体障害者や高齢者など社会的弱者を対象とした福祉目的の資本投下型整備が進む中で、受益者の真の利便性を叶えていないものが多く見うけられるが、歩道の縁石工事もその一つであろう。
【００２８】
本発明のバリアフリー型縁石を敷設する事によって身体障害者のみならず、ベビーカーや高齢者の手押し車。
さらには、救急車のストレッチャー、買い物用カート、運送業の荷物の積み降ろしなどその利用用途は多い。
【００２９】
公共的な施設は、利用する全ての人々に対して公平に、その利点を供与しなければならない。
本発明のバリアフリー型縁石は、車椅子を使用するしないにかかわらず、人々に対する安全性と利便性の面での利用価値が高く、利用することの社会的意義は大きい。
【図面の簡単な説明】
【図１】本発明の平面図。
【図２】本発明の正面図。
【図３】本発明の左側面図。
【図４】本発明の斜視図。
【図５】本発明の施工状態の一例を示す参考斜視図。
【図６】車椅子Ａを車道Ｅ側から歩道Ｆ側へと移送する現況を示す側面図。
【符号の説明】
Ａ・・・・車椅子
Ｂ・・・・バリアフリー型縁石
Ｂ１・・・車椅子専用通路
Ｅ・・・・車道
Ｆ・・・・歩道
Ｈ・・・・段差
【図１】
2004346720.tif 000003
【図２】
2004346720.tif 000004
【図３】
2004346720.tif 000005
【図４】
2004346720.tif 000006
【図５】
2004346720.tif 000007
【図６】
2004346720.tif 000008